(57)【特許請求の範囲】
【請求項１】
エレベーターの乗りかご内を照明するために前記乗りかごの天井板に取り付けられるエレベーターの乗りかご照明装置において、
前記乗りかご照明装置は、平面基板上に複数個のＬＥＤを配置したＬＥＤパネルランプと、前記ＬＥＤパネルランプが固定される固定板と、前記ＬＥＤパネルランプを乗りかご内を照明するように前記固定板の下側に配置すると共に、前記固定板を前記天井板の撓みを吸収する所定の高さ寸法を有する空間を形成して前記天井板に固定する固定手段とを備えると共に、前記ＬＥＤパネルランプと前記固定板は固定リベットによって固定され、前記固定リベットと前記ＬＥＤパネルランプとの間にナイロンワッシャよりなる緩衝材を介装したことを特徴とするエレベーターの乗りかご照明装置。
【請求項２】
請求項１に記載のエレベーターの乗りかご照明装置において、
前記固定板は矩形状に形成され、前記固定板の相対する辺の外側領域には天井板側に向けて突出した突出部を有する固定部が一体的に形成され、前記固定板が前記突出部を介して前記天井板の撓みを吸収する所定の高さ寸法を有する空間を形成するように前記天井板に固定されることを特徴とするエレベーターの乗りかご照明装置。
【請求項３】
請求項２に記載のエレベーターの乗りかご照明装置において、
前記突出部は前記固定板にエンボス加工によって形成されていることを特徴とするエレベーターの乗りかご照明装置。
【請求項４】
請求項１に記載のエレベーターの乗りかご照明装置において、
前記固定板は、矩形状に形成され前記ＬＥＤパネルランプが固定される平板状の第１固定板と、前記天井板に固定され前記天井板から遠ざかるように突出する突出部を有した第２固定板から構成され、前記第１固定板は前記第２固定板の前記突出部に固定されることで両者の間に前記天井板の撓みを吸収する所定の高さ寸法を有する空間が形成されると共に、前記ＬＥＤパネルランプと前記第１固定板は前記固定リベットによって固定され、前記固定リベットと前記ＬＥＤパネルランプとの間に前記ナイロンワッシャよりなる前記緩衝材を介装したことを特徴とするエレベーターの乗りかご照明装置。
【請求項５】
請求項４に記載のエレベーターの乗りかご照明装置において、
前記突出部は前記第２固定板にエンボス加工によって形成されていることを特徴とするエレベーターの乗りかご照明装置。
【発明の詳細な説明】
【技術分野】
【０００１】
本発明はエレベーターの乗りかご照明装置に係り、特にＬＥＤランプから成る光源によりエレベーターの乗りかご内を照射するエレベーターの乗りかご照明装置に関するものである。
【背景技術】
【０００２】
エレベーターの乗りかご内は操作ボタンを操作し易くするためや、安全対策のために照明装置によって照明するようにされている。従来ではこの照明装置としては電球や蛍光灯を使用していたが、照明装置として大型である、電球や蛍光灯の取り換え等の維持管理が頻繁に必要である、電球や蛍光灯のガラスが破損して危険であるといった課題があった。
【０００３】
そこで、最近は小型化や維持管理のし易さの観点からＬＥＤランプからなる照明装置をエレベーターの照明装置に適用できるように改良して使用するようになってきている。
【０００４】
このようなＬＥＤランプを使用した照明装置としては特開２０１１−１１８７３号公報（特許文献１）に記載されているようなものが知られている。
【０００５】
この特許文献１に記載の技術は、エレベーターの天井部の上側に配置された複数個のＬＥＤが配列されたＬＥＤランプと、このＬＥＤランプからの光を側端部から内部に導く導光板と、ＬＥＤランプが取り付けられると共に、ＬＥＤランプ及び導光板を覆うように天井部の上側に配置されるカバーと、導光板の上方に形成された所定寸法の空間部と、この空間部に配置された導光板の上側とカバーの下面のそれぞれに当接するように設けられるスペーサーとを備えた照明装置を開示している。
【先行技術文献】
【特許文献】
【０００６】
【特許文献１】特開２０１１−１１８７３号公報
【発明の概要】
【発明が解決しようとする課題】
【０００７】
このような特許文献１に記載のものは、導光板の側端部にＬＥＤランプを光結合し、導光板の端面から入射させた光を導光板の全面から拡散出射するものであり、かごの天井部に形成される開口部、ＬＥＤランプからの光を側端部から内部に導く導光板、ＬＥＤランプ及び導光板を覆うように天井部の上側に配置されるカバー等を備える必要があり、構造が複雑になると共に、比較的大きな取り付けスペースを必要とする、といった課題があった。
【０００８】
本発明は、構造が簡単で取り付けスペースをそれほど必要としない新規なエレベーターの乗りかご照明装置を提供することにある。
【課題を解決するための手段】
【０００９】
本発明の特徴は、平面基板上に複数個のＬＥＤを配置したＬＥＤパネルランプと、このＬＥＤパネルランプが固定される固定板と、ＬＥＤパネルランプを乗りかご内を照明するように固定板の下側に配置すると共に、固定板を天井板の撓みを吸収する所定の高さ寸法を有する空間を形成して天井板に固定する固定手段とを備えると共に、ＬＥＤパネルランプと固定板は固定リベットによって固定され、固定リベットとＬＥＤパネルランプとの間にナイロンワッシャよりなる緩衝材を介装したものである。
【発明の効果】
【００１０】
本発明によれば、平面基板に複数個のＬＥＤを備えたＬＥＤパネルをエレベーターの乗りかご用の照明装置とすることで、特許文献１にあるような照明装置に比べて構成の簡素化や、省スペース化を図ることができる。
【００１１】
また、乗りかご上における保守作業時に作業者が天井板に乗ることで、その荷重により天井板が撓んでも、天井板と固定板の間に形成された空間によってＬＥＤパネルが破損することを防ぐことができ、これによって、ＬＥＤパネル及び平面基板に取り付けられるＬＥＤの長寿命化を図ることができる。
【図面の簡単な説明】
【００１２】
【図１】エレベーターの乗りかご内を正面から見た正面斜視図である。
【図２】本発明の一実施例になる照明装置の正面図である。
【図３】図２に示す照明装置の下側面図である。
【図４】図２に示す照明装置の右側面図である。
【図５】図２に示すＡ−Ａ断面図である。
【図６】本発明の一実施例になる照明装置を天井板に取り付けた場合の側面図である。
【図７】図６において荷重が作用する前の状態を示した側面図である。
【図８】図６において荷重が作用した時の天井板の変形状態を示した側面図である。
【図９】本発明の他の実施例になる照明装置を天井板に取り付けた場合の側面図である。
【発明を実施するための形態】
【００１３】
以下、本発明に係るエレベーターの乗りかご照明装置の実施例を図に基づき詳細に説明する。
【００１４】
エレベーターの乗りかごは図１に示すように、昇降路を昇降する乗りかご１と、この乗りかご１の出入口に配置されるかごドア（図示せず）と、乗りかご１の天井板２に配設される乗りかご照明装置（以下、単に照明装置と表現する）３と、換気扇４等を備えている。照明装置３は図２にあるように複数個、この図では４個の照明装置３が設けられている。
【００１５】
また、天井板と同じ大きさと形状を持つアクリル板等よりなる調光板（図示せず）が照明装置３の下側に取り付けられている。
【実施例１】
【００１６】
そして、本発明の一実施例になる照明装置３は図２乃至図４に示すように、セラミック等よりなる矩形状の平面基板５上に複数のＬＥＤ６を配置した板状のＬＥＤパネルランプ（以下、ＬＥＤパネルと表現する。）７と、このＬＥＤパネル７を取り付ける鉄製（例えば形鋼）よりなるこれも矩形状の固定板８とより構成されている。
【００１７】
ＬＥＤパネル７はその表面に規則的に行と列を形成するようにＬＥＤ６が設けられており、これらの複数のＬＥＤ６は平面基板５に取り付けたコネクタ９を介して図示しない配線によって電源と接続されている。コネクタ９は２個設けられているが、どちらか一方が選択されて使用されるものである。更に、平面基板５には抵抗１０等の電気素子が設けられている。
【００１８】
尚、電源とＬＥＤ６とはこれも図示しないスイッチ機構を介してその入切が選択されている。したがって、エレベーターが運行されているときにはスイッチ機構はＬＥＤ６と電源を接続してＬＥＤ６を発光させている。
【００１９】
ＬＥＤパネル７と固定板８とは固定リベット１１によってそれぞれ固定されている。この場合は４個の固定リベット１１によって固定板８に強固に固定されている。この固定リベット９の固定状態を図５に示している。
【００２０】
図５において、固定板８とＬＥＤパネル７とは相互に重ね合わされ、これらを固定リベット１１によって固定しており、固定リベット１１とＬＥＤパネル７の間にはナイロンワッシャよりなる緩衝材１２が介装されており、ＬＥＤパネル７に固定リベット１１の固定力が集中して破損するのを防止する機能と、電気的な絶縁機能を果たしている。
【００２１】
固定板８とＬＥＤパネル７を重ねた状態で、ＬＥＤパネル７を含まない固定板８の両側領域８Ａには固定板８をエレベーターの天井板２に固定するための固定部１３がエンボス加工によって形成されている。
【００２２】
この固定部１３は固定板８の相対する辺の外側領域に形成されているが、４辺の外側領域に形成しても良い。このようにするとより強固に固定板８を天井板２に固定することができる。
【００２３】
また重要なことは、固定部１３はＬＥＤパネル７とは反対側に円錐台の形状をもって所定の高さ寸法で突出する突出部１３Ａが形成されていることであり、この突出部１３Ａは後述するスペーサーの機能を有している。尚、実施例では固定板８を鉄材料で作成しているが、樹脂材料で作成しても良く、この場合は突出部１３Ａ等を一体的にモールド成型することで得ることができる。
【００２４】
このような固定板８とＬＥＤパネル７を組み合わせた状態で、図６にあるように乗りかご１の天井板２に固定板８を直接固定することで照明装置３として動作するようになる。図６が固定板８を天井板２に固定した状態を示しており、天井板２と固定板８とはボルト１４Ａとナット１４Ｂによって固定されることになる。
【００２５】
図６において、固定板８は突出部１１３Ａが天井板２に対向するように配置され、この状態でナット１４Ｂが締め付けられていくと固定板８は天井板２と強固に固定され、天井板２側から見て固定板８、ＬＥＤパネル７の順序で配置されることになる。よって、ＬＥＤパネル７が乗りかご１内を照明できることになる。
【００２６】
ここで、天井板２の乗りかご１の外側にはL字形状の補強板１５が載置され、補強板１５は天井板２に両面テープ及びリベット１６によって固定されている。
【００２７】
そして、天井板２と固定板８の間は突出部１３Ａによって所定高さ寸法の空間部Ｈが形成されており、これがスペーサーの機能を合わせ有していることになる。更に補強板１５のリベット１６に固定板８が接触するのを防止する機能も有している。この空間部Ｈは天井板２から固定板８までの長さは３ミリメータから６ミリメータの間に設定されている。
【００２８】
次に、このスペーサーの機能について説明する。図７において、乗りかご１の外側上面側に設置されたプーリーやロープの機構部等の保守作業時に作業者が天井板２に乗って点検する機会が多くあるが、この場合、作業者が天井板２に乗ると天井板２がその荷重によって下側に変形する恐れがある。
【００２９】
したがって、固定板８と天井板２が隙間なく固定されていると、天井板２の変形は固定板８を介してＬＥＤパネル７を構成する平面基板５に伝わって平面基板５が破損するといった恐れがある。
【００３０】
一方、本実施例によると図８にあるように、作業者の荷重により天井板２が撓んでも、その撓みは天井板２と固定板８の間にある所定の高さ寸法を有する突出部１３Ａにより形成された空間部Ｈによって吸収されるのでＬＥＤパネル７の平面基板５が破損することを防ぐことができる。
【００３１】
更に、本実施例の照明装置３によると、突出部１３によって常に天井板２との間に所定の高さ寸法を有する空間部が形成されるので天井板２への設置場所を選ぶ必要がなく、大型の乗りかごにおいても任意の場所に任意の数だけ設置することが可能となる。
【００３２】
尚、天井板２の材料や厚さによってもその撓みの変形量が変わるので、この突出部１３Ａの高さ寸法はそれによって適宜選択されるものある。
【実施例２】
【００３３】
次に本発明の他の実施例を図９に基づき説明すると、ＬＥＤパネル７は樹脂或いは鉄よりなる平板状の第１固定板８Ａに実施例１と同様な方法で固定されている。
【００３４】
この第１固定板８Ａは更に第２固定板８Ｂに固定されるもので、図９にあるように、第２固定板８Ｂには天井板２から離れる方向に突出部１３Ｂが形成されている。この第2固定板８Ｂも実施例１と同様な方法で作成されている。
【００３５】
したがって、円錐台の形状をもって所定の高さ寸法で突出する突出部１３Ｂが形成されており、この突出部１３Ｂはスペーサーの機能を有している。
【００３６】
そして、天井板２側から見て、第２固定板８Ｂ、第１固定板８Ａ、ＬＥＤパネル７の順序で配置されており、第１固定板８Ａと第２固定板８Ｂの間には突出部１３Ｂによって所定の高さ寸法を有する空間部Ｈが形成されている。
【００３７】
したがって、実施例１にあるように、作業者の荷重により天井板２及び第２固定板８Ｂが撓んでも、その撓みは第２固定板Ｂと第１固定板８Ａとの間にある所定の高さ寸法を有する突出部１３Ｂにより形成された空間部Ｈによって吸収されるのでＬＥＤパネル７の平面基板５が破損することを防ぐことができる。
【００３８】
以上説明したように、本発明になる第１実施例及び第２実施例によれば、平面基板５に複数個のＬＥＤ６を備えたＬＥＤパネル７をエレベーターの乗りかご１用の照明装置３とすることで、特許文献１にあるような照明装置に比べて構成の簡素化や、省スペース化を図ることができる。
【００３９】
また、乗りかご１上における保守作業時に作業者が天井板に乗ることで、その荷重により天井板４が撓んでも、突出部１３Ａ、１３Ｂによって形成された空間部ＨによってＬＥＤパネル７が破損することを防ぐことができ、これによって、ＬＥＤパネル７及び平面基板５に取り付けられるＬＥＤ６の長寿命化を図ることができる。
【００４０】
更に、特許文献１にあるような照明装置を取り付けるための取り付け用開口部を乗りかご１に設け、この開口部に照明装置を配置することで必要となる乗りかご１の上方に向かって大きく突出する照明カバーを設ける必要がないことから、乗りかご１の外側上面側に広い保守作業スペースを確保することができる。
【符号の説明】
【００４１】
１…乗りかご、２…天井板、３…照明装置、４…換気扇、５…平面基盤、６…ＬＥＤ、７…ＬＥＤパネルランプ、８…固定板、１１…固定リベット、１２…緩衝材、１３…固定部、１３Ａ…突出部、１４Ａ…ボルト、１４Ｂ…ナット。
【図１】
0005775419.tif 000002
【図２】
0005775419.tif 000003
【図３】
0005775419.tif 000004
【図４】
0005775419.tif 000005
【図５】
0005775419.tif 000006
【図６】
0005775419.tif 000007
【図７】
0005775419.tif 000008
【図８】
0005775419.tif 000009
【図９】
0005775419.tif 000010